(57)【要約】【課題】  建物の改修工事に対応できるとともに充分に多機能かつ多様な意匠とし得て様々な用途の建物に広く適用することが可能なカウンターシステムを提供する。【解決手段】  タイプの異なる複数のユニットを任意に組み合わせてカウンターを構成する。各タイプのユニットはいずれもフレームに外装材２を装着した構成とし、それら各タイプのユニットのフレームどうしを相互に連結可能とする。各ユニットにおけるフレームをスチールパイプにより形成し、各ユニットにおける外装材２を天板部２ａと幕板部２ｂとを曲げ加工した一体成形の積層合板により形成する。ユニットのタイプとして机タイプＡ、座位応対タイプＢ、立位応対タイプＣの３タイプを設定する。各タイプのユニットの奥行き寸法、天板部の高さ寸法、天板部の先端部の形状を統一する。【選択図】      図８
2005102723.tif 000002
【特許請求の範囲】
【請求項１】
タイプの異なる複数のユニットを任意に組み合わせ可能なカウンターシステムであって、各タイプのユニットをいずれもフレームに外装材を装着した構成とし、それら各タイプのユニットのフレームどうしを連結可能としたことを特徴とするカウンターシステム。
【請求項２】
請求項１記載のカウンターシステムにおいて、各ユニットにおけるフレームがスチールパイプからなり、各ユニットにおける外装材が、フレームの上部に装着される天板部とフレームの前部に装着される幕板部とが一体成形により曲げ加工された積層合板からなることを特徴とするカウンターシステム。
【請求項３】
請求項２記載のカウンターシステムにおいて、ユニットのタイプとして机タイプ、座位応対タイプ、立位応対タイプの３タイプを設定し、
机タイプのユニットには、天板部の先端部から幕板部が下方に向けて曲げ加工された外装材を採用し、
座位応対タイプのユニットには、机タイプのフレームよりも奥行き寸法が小さいフレームを採用するとともに、その外装材には、天板部の先端部をフレームよりも前方に突出させかつその下面側には後方への折り返し部を形成して、このユニットは前部側に椅子や車椅子の引き込み空間である凹所を有するものとされ、
立位応対タイプのユニットには、机タイプのフレームと共通のフレームを採用するとともに、その外装材には、天板部の後端部を上方に立ち上げかつ前方に折り返すことでその折り返し部をカウンタートップとして形成して、このユニットはカウンタートップの下方に前方側から手荷物をおくための収納凹部を有するものとされていることを特徴とするカウンターシステム。
【請求項４】
請求項３記載のカウンターシステムにおいて、各タイプのユニットの奥行き寸法、天板部の高さ寸法、天板部の先端部の形状を統一したことを特徴とするカウンターシステム。
【発明の詳細な説明】
【技術分野】
【０００１】
本発明は建物に設置されるカウンターに係わり、特にタイプの異なる複数のユニットを任意に組み合わせ可能なカウンターシステムに関する。
【背景技術】
【０００２】
建物には様々な用途・目的で様々な機能・形態・意匠のカウンターが設置されるが、いずれにしても個々にデザインされて内装工事により建物に造り付けられることが一般的であり、そのため建物を改修するような場合にはカウンターも一緒に解体撤去し、必要に応じて新たに造り直すことが通常である。
【０００３】
なお、カウンターをユニット化することも検討されており、たとえば特許文献１には複数のカウンターユニットを間仕切りを介して連結するようにした連結用カウンターが開示され、特許文献２には枠体にフロントパネルやリアパネル、天板を組み付ける構成のカウンターテーブル構成体が開示されている。
【特許文献１】実開平５−４３９５５号公報
【特許文献２】実開平６−４６５３０号公報
【発明の開示】
【発明が解決しようとする課題】
【０００４】
上記のように従来一般の造り付けのカウンターでは改修工事に対応できるものではないし、特許文献１や特許文献２に示されるような従来のユニットタイプのカウンターは機能や意匠が限定されるので様々な用途の建物に広く適用できるものではない。
【０００５】
上記事情に鑑み、本発明は建物の改修工事に対応できるとともに、充分に多機能かつ多様な意匠とし得て様々な用途の建物に広く適用することが可能なカウンターシステムを提供することを目的としている。
【課題を解決するための手段】
【０００６】
本発明のカウンターシステムは、タイプの異なる複数のユニットを任意に組み合わせてカウンターを構成することが可能なもので、各タイプのユニットをいずれもフレームに外装材を装着した構成とし、それら各タイプのユニットのフレームどうしを連結可能としたことを特徴とする。
【０００７】
本発明のカウンターユニットにおいては、各ユニットにおけるフレームをスチールパイプにより形成し、各ユニットにおける外装材を天板部と幕板部とを曲げ加工した一体成形の積層合板により形成することが好適である。
【０００８】
本発明のカウンターシステムにおいては、ユニットのタイプとして机タイプ、座位応対タイプ、立位応対タイプの３タイプを設定することが好ましい。机タイプのユニットは通常の受付カウンターとして機能するもので、天板部の先端部から幕板部が下方に向けて曲げ加工された外装材を採用したものである。座位応対タイプのユニットは特に車椅子での来訪者に対応する形式のカウンターとして機能するもので、机タイプのフレームよりも奥行き寸法が小さいフレームを採用するとともに、天板部の先端部がフレームよりも前方に突出しかつその下面側に折り返し部が形成された外装材を採用して、前部側に車椅子の入り込み空間である凹所を確保したものである。立位応対タイプのユニットは立ったままの姿勢で応対するタイプのカウンターとして機能するもので、机タイプのフレームと共通のフレームを採用するとともに、天板部の後端部を上方に立ち上げかつ前方に折り返すことでその折り返し部をカウンタートップとした外装材を採用して、カウンタートップの下方に前方側から手荷物をおくための収納凹部を確保したものである。それら各タイプのユニットの奥行き寸法、天板部の高さ寸法、天板部の先端部の形状は統一することが好ましい。
【発明の効果】
【０００９】
請求項１の発明のカウンターシステムによれば、設置するべきカウンターの目的やそれに要求される機能に応じて適当なユニットを選択し、必要に応じてそれらユニットを連結して建物内の所望位置に配置することのみで、所望の長さのカウンターを建物内の所望位置に容易に設置することができるものであり、特にタイプの異なるユニットどうしを組み合わせることで充分に多機能で多彩な意匠のカウンターを自由に構成することができる。また、建物を改修する際等には、各ユニットの連結を解除して容易に撤去することができるし、他のタイプのユニットと置き換えたり、他の場所に移設して転用することも可能である。
【００１０】
請求項２の発明のカウンターシステムによれば、スチールパイプからなるフレームに積層合板からなる外装材を装着した構成のユニットを採用することにより、各ユニットの構成の簡略化を図ることができて各ユニットを安価に製作できるし、外装材の曲げ加工のみで多彩な意匠のユニットを製作することができる。
【００１１】
請求項３の発明のカウンターシステムによれば、机タイプ、座位応対タイプ、立位応対タイプの３タイプのユニットを採用したことにより、それら３タイプのユニットを様々に組み合わせることで様々な目的・用途のカウンターに幅広く対応することができる。
【００１２】
請求項４の発明のカウンターシステムによれば、各タイプのユニットの奥行き寸法、天板部の高さ寸法、天板部の先端部の形状を統一することにより、それら各ユニットどうしを出入りや段差なく一連のものとしてすっきりと連結することができる。
【発明を実施するための最良の形態】
【００１３】
以下、本発明のカウンターシステムの一実施形態を説明する。本実施形態のカウンターシステムはたとえば病院に設置される各種の機能のカウンターに適用して好適なもので、タイプが異なる３種類のユニットＡ，Ｂ，Ｃを採用し、それらユニットＡ，Ｂ，Ｃを任意に組み合わせて連結することで様々な機能、形態のカウンターを自由に構成できるようにされている。
【００１４】
各ユニットＡ，Ｂ，Ｃは、いずれもスチールパイプ（角パイプ）からなるフレーム１に、天板部２ａと幕板部２ｂを一体に曲げ加工した積層合板からなる外装材２が装着された構成とされており、それら各タイプのユニットＡ，Ｂ，Ｃは相互に連結可能なように各部の形状や寸法が規格化されて意匠的にも統一されたものとなっている。
【００１５】
図１〜図２に示すユニットＡは、通常の受付カウンターとして応対者が椅子に腰掛けて使用するベーシックな机タイプのものであって、このユニットにおけるフレーム１は５本（前部側３本、後部側２本）の脚１ａを連結材１ｂにより連結した形態とされ、このユニットＡにおける外装材２は天板部２ａの先端部から幕板部２ｂが下方に向けて曲げ加工されたものとなっている。天板部２ａはフレーム１の上部に装着されてそのままカウンタートップとなり、幕板部２ｂはフレーム１の前部に装着されてカウンター内の目隠しとなるもので、図示例のものは幕板部２ｂが天板部２ａに対して直角よりもやや鋭角をなすように曲げ加工されることで幕板部２ｂの下端側が内側に入り込んだ状態でやや傾斜したものとなっている。
【００１６】
図３〜図４に示すユニットＢは上記の机タイプのユニットＡの変形タイプであって、特に車椅子の来訪者に応対し得る形式のカウンターとして機能する座位応対タイプのものであり、このユニットＢにおけるフレーム１の奥行き寸法はユニットＡのフレーム１の奥行き寸法よりも小さくされている。そして、このユニットＢにおける外装材２は、ユニットＡと同様に積層合板が曲げ加工されて天板部２ａと幕板部２ｂとが一体に形成されたものであるが、天板部２ａの先端部がフレーム１よりも前方に突出しかつその下面側に折り返し部２ｃが形成された形状とされており、それによりこのユニットＢの前部側には椅子や車椅子の入り込み空間である凹所３が確保され、車椅子での来訪者に対する応対に適するものとなっている。
【００１７】
図５〜図６に示すユニットＣは、立ったままの姿勢で応対するタイプのカウンターとして機能する立位応対タイプのものであって、このユニットＣにおけるフレーム１の寸法は机タイプのフレームＡと共通とされ、その外装材２は、天板部２ａの後端部に上方に立ち上げた立ち上がり部２ｄを形成し、かつその上部を前方に折り返して折り返し部２ｅを形成することで、その折り返し部２ｅをカウンタートップとする形状とされていて、そのカウンタートップの下方には収納凹部４が確保されてここに前方側から手荷物をおくことができるようになっている。また、このユニットＣではフレーム１の上部に内部カウンタートップ５が設けられているとともに、外装板２の立ち上がり部２ｄの背面側にはパンチングメタル等からなる掲示板６が設けられていて、そこにメモ類をピンやマグネットにより掲示することができるようになっている。
【００１８】
上記の各ユニットＡ，Ｂ，Ｃは、いずれもフレーム１の脚１ａの下端にはレベル調整用のアジャスタ１ｃが取り付けられているとともに、脚１ａおよび連結材１ｂの側面要所には連結孔７が形成されていて、それら連結孔７にボルトを通して締結することで同タイプのユニットのみならず他のタイプのユニットも連結できるようになっている。また、ユニットＡ，Ｂ，Ｃのいずれにおいてもフレーム１の内側にはケーブル類を配線するための配線ラック８が取り付けられていて、コンピューター等の設置に対応可能とされている。さらに、ユニットＡ，Ｂ，Ｃのいずれにおいても、幕板部２ｂには意匠的なスリット９が形成されているとともに、その幕板部２ｂの下端部には幅木１０が設けられ、天板部２ａの先端部には杖立てとして機能する切欠部１１が形成されている。さらに、各ユニットＡ，Ｂ，Ｃのフレーム１の前部側の脚１ａと外装板２の幕板部２ｂとの間の隙間には塞ぎ板１２が取り付けられるようになっていて、それらの脚１ａには塞ぎ板１２を取り付けるためのスチールプレート１３が取り付けられている。
【００１９】
なお、各ユニットＡ，Ｂ，Ｃの寸法は適宜で良いが、従来の一般的なカウンターと同様に、奥行き寸法を７５０ｍｍ程度、高さ寸法をユニットＡ，Ｂにおいては７００ｍｍ程度、ユニットＣにおいてはカウンタートップの高さ寸法を１０００ｍｍ程度とすることが適当であり、そのような寸法とすればカウンター内に汎用のキャスター付きワゴンを収納することができる。また、長さ寸法は基本モジュールとして１５００ｍｍ程度のものと、１／２モジュールとして７５０ｍｍ程度のものの２種類とすると良い。いずれにしても、各タイプのユニットＡ，Ｂ，Ｃの奥行き寸法や天板部２ａの高さ寸法、天板部２ａの先端部の形状（天板部２ａと幕板部２ｂとの間の曲げ加工部の形状）を統一しておくことにより、各ユニットＡ，Ｂ，Ｃどうしを出入りや段差なく一連のものとしてすっきりと連結することができる。
【００２０】
本実施形態のカウンターシステムは、カウンターの目的やそれに要求される機能に応じて、上記のユニットＡ，Ｂ，Ｃのいずれか最適なものを選択し、必要に応じてそれらを適当数だけ連結して建物内の所望位置に配置することのみで、所望の長さのカウンターを建物内の所望位置に容易に設置することができることはもとより、建物を改修する際等には容易に撤去したり、他のタイプのカウンターと置き換えたり、他の場所に移設して転用することが可能なものである。
【００２１】
特に本実施形態のカウンターシステムでは、同タイプのユニットどうしはもとより必要に応じてタイプの異なる他のユニットどうしもそのまま連結することが可能であるので、たとえば図７に示すように立位応対タイプのユニットＣと座位応対タイプのユニットＢとを組み合わせたり、図８に示すようにさらに机タイプのユニットＡを直交状態で組み合わせるといった多彩な組み合わせが可能であり、それにより充分に多機能で多彩な意匠のカウンターを自由に構成することができる。なお、図７〜図８に示しているように、各ユニットの端部には必要に応じて端部幕板１４を取り付け可能としておくと良い。その端部幕板１４は外装材２の幕板部２ｂと同様のスリット９を形成して意匠的に統一しておくと良いが、あるいはパンチングメタル等の他の素材を採用しても良い。
【００２２】
なお、上記実施形態では３タイプのユニットＡ，Ｂ，Ｃを採用したが、本発明のカウンターシステムではさらに他の構成のユニットを採用しても勿論良く、たとえば図９に示すように上記の机タイプのユニットＡを基本としてそれに手洗器１５を組み込んだユニットも好適に採用可能である。また、図１０に示すように各タイプのユニット（図１０では座位応対タイプのユニットＢ）に、あるいはユニットどうしの連結部に、隔てパーティション１６を取り付け可能としておくことも考えられる。
【図面の簡単な説明】
【００２３】
【図１】本発明の実施形態であるカウンターシステムを示すもので、机タイプのユニットを示す斜視図である。
【図２】同、机タイプのユニットの構成図である。
【図３】同、座位応対タイプのユニットを示す斜視図である。
【図４】同、座位応対タイプのユニットの構成図である。
【図５】同、立位応対タイプのユニットを示す斜視図である。
【図６】同、立位応対タイプのユニットの構成図である。
【図７】同、立位応対タイプのユニットと座位応対タイプのユニットを組み合わせた場合の例を示す斜視図である。
【図８】同、立位応対タイプのユニットと机タイプのユニットと座位応対タイプのユニットを組み合わせた場合の例を示す斜視図である。
【図９】同、他のユニットの例を示す斜視図である。
【図１０】同、ユニットに隔てパーテーションを取り付けた場合の例を示す斜視図である。
【符号の説明】
【００２４】
Ａ，Ｂ，Ｃ  ユニット
１  フレーム
１ａ  脚
１ｂ  連結材
１ｃ  アジャスタ
２  外装材
２ａ  天板部
２ｂ  幕板部
２ｃ  折り返し部
２ｄ  立ち上がり部
２ｅ  折り返し部
３  凹所
４  収納凹部
５  内部カウンタートップ
６  掲示板
７  連結孔
８  配線ラック
９  スリット
１０  幅木
１１  切欠部
１２  塞ぎ板
１３  スチールプレート
１４  端部幕板
１５  手洗器
１６  隔てパーティション
【図１】
2005102723.tif 000003
【図２】
2005102723.tif 000004
【図３】
2005102723.tif 000005
【図４】
2005102723.tif 000006
【図５】
2005102723.tif 000007
【図６】
2005102723.tif 000008
【図７】
2005102723.tif 000009
【図８】
2005102723.tif 000010
【図９】
2005102723.tif 000011
【図１０】
2005102723.tif 000012